(57)【要約】      （修正有）【課題】いかなる衣服にも、衣服への墳傷を最少にして、確実・簡単、かつ、好適にＩＤカードを装着することができ、しかも、表示スペースを見栄えよく追加することができるＩＤカード装着具およびその補助具を提供する。【解決手段】上面部の一端につながって下方に位置する前面部と、上記上面部の他端につながって該前面部と平行に位置するへラ状部とからなり、上記前面部に、下に凸の閉じられた前面部弧状スリットを有し、上記へラ状部にボタンホールとこれにつながって下端に開放するへラ状部スリットを有し、上記前面部弧状スリットに紐を挿通してＩＤカードを吊り下げる構成とした。【選択図】図１
2004313649.tif 000002
【特許請求の範囲】
【請求項１】
上面部の一端につながって下方に位置する前面部と、
上記上面部の他端につながって該前面部と平行に位置するへラ状部とからなり、
上記前面部に、下に凸の閉じられた前面部弧状スリットを有し、
上記へラ状部にボタンホールとこれにつながって下端に開放するへラ状部スリットを有し、
上記前面部弧状スリットに紐を挿通してＩＤカードを吊り下げる、
ことを特徴とするＩＤカード装着具。
【請求項２】
請求項１記載のＩＤカード装着具において、
上記前面部と平行に追加前面部を設け、
この追加前面部に上記前面部弧状スリットと平行に弧状スリットを設け、
上記両前面部の周縁部を接合するとともに、
該両前面部の間に、上記両弧状スリットと挿通可能な穴を有するプレートを収納し、
上記両弧状スリットと該プレート穴に紐を挿通してＩＤカードを吊り下げる、
ことを特徴とするＩＤカード装着具。
【請求項３】
上面部の一端につながって下方に位置する前面部と、
上記上面部の他端につながって該前面部と平行に位置するへラ状部と、
該前面部と周縁部を接合した追加前面部と、
上記両前面部の間に収納したプレートと、
該上面部に固定した、該両前面部のほぼ周縁に位置するリングとからなり、
上記へラ状部にボタンホールとこれにつながって下端に開放するへラ状部スリットを有し、
上記リングに紐を掛けてＩＤカードを吊り下げる、
ことを特徴とするＩＤカード装着具。
【請求項４】
紐の一端にクリップを取り付け、
他端にボタンを取り付け、
このボタンに、請求項１、請求項２または請求項３のＩＤカード装着具を掛ける、
ことを特徴とするＩＤカード装着具の補助具。
【請求項５】
Ｓ字形部品と逆Ｓ字形部品とを重ねて配置するとともに、その交差部を摺動可能に保持したブロックＡと、
圧縮コイルばねに棒を通して、その一端同士を固着し、該棒の他端を管に入れ、この管の該入り口に上記圧縮コイルばねの他端を固着したブロックＢとからなり、
該ブロックＡの四端のうちの上記摺動軸に関して分かれる二組の二端の一組を、該圧縮コイルばねと該管との該固着部と、該管の該入り口からみた他端とに固着し、
上記圧縮コイルばねを圧縮すると、上記ブロックＡの他の二端が開き、この二端を衣服の布に当てて該圧縮を解除すると、この二端が該衣服の布に差し込まれて閉じ、該衣服に固定され、
該ブロックＢに、請求項１、請求項２または請求項３のＩＤカード装着具を掛ける、
ことを特徴とするＩＤカード装着具の補助具。
【発明の詳細な説明】
【０００１】
【発明の属する技術分野】
本発明は、ＩＤカード、すなわち、名札や磁気記録のＩＤカードなどを衣服に装着するＩＤカード装着具およびその補助具に関するものである。
【０００２】
【従来の技術】
ＩＤカードなどを衣服に装着するＩＤカード装着具については従来より知られている（例えば、特許文献１、特許文献２参照。）。従来のＩＤカード装着具の一例として、一般に市販されている、衣服に装着する、装着具付きのＩＤカードについて図１４を用いて説明する。
図１４において、１０は名札や磁気記録のカードなどのＩＤカードであり、ＩＤカードホルダー８に収納されている。９はＩＤカードホルダー８に明けられた穴であり、この穴９に通した紐７がばね式クリップ７１に固定されていて、衣服の胸ポケット等の布を挟んで装着する。また、ばね式クリップ７１の代わりに安全ピンで衣服に装着するタイプがあった。さらに、ばね式クリップ７１と紐７の代わりに、長い紐を穴９に通して、首に掛けて装着するタイプもあった。
【０００３】
【特許文献１】
特開平７−３２００１２号公報
【特許文献２】
実用新案登録第３０８５９２３号公報
【０００４】
【発明が解決しようとする課題】
しかしながら、ばね式クリップ７１は固定力が弱く、安全ピンは着脱が容易でない上に、衣服がピンホールによって傷付くため、女性用高級衣服などへの利用は倦厭される。ばね式クリップ７１は衣服への損傷は少ないが、衣服への固定力が弱いために容易にはずれ落ちてＩＤカードの紛失につながる。また、ばね式クリップ７１は固定部位がポケットや衿に限定されるためＩＤカードの方向が一定しない。これらの欠点を克服するために首掛け式紐が汎用されているが、ＩＤカードホルダーが固定されていないために、作業時手元に垂れ下がり邪魔になる。ボタンや胸ポケットなどの装着場所がない衣服にも、手元が邪魔になることなく、ＩＤカードを装着する必要がある。
また、ＩＤカードは他者に対して、自己の所属や名前、顔写真などを示すものである。しかし、約５×７〜８ｃｍのカードに多くの情報を記載すると、情報表示の文字や写真の寸法は小さくなり、他者が認識するのに困難を生ずる。
本発明は、上記の従来の問題点を解決するためになされたものであり、いかなる衣服にも、衣服への損傷を最少にして、確実・簡単、かつ、好適にＩＤカードを装着することができ、しかも、表示スペースを見栄えよく追加することができるＩＤカード装着具およびその補助具を提供することを目的とするものである。
【０００５】
【課題を解決するための手段】
上記問題を解決するために、本発明の請求項１に係るＩＤカード装着具は、上面部の一端につながって下方に位置する前面部と、上記上面部の他端につながって該前面部と平行に位置するへラ状部とからなり、上記前面部に、下に凸の閉じられた前面部弧状スリットを有し、上記へラ状部にボタンホールとこれにつながって下端に開放するヘラ状部スリットを有し、上記前面部弧状スリットに紐を挿通してＩＤカードを吊り下げるものである。
【０００６】
本発明の請求項２に係るＩＤカード装着具は、請求項１記載のＩＤカード装着具において、上記前面部と平行に追加前面部を設け、この追加前面部に上記前面部弧状スリットと平行に弧状スリットを設け、上記両前面部の周縁部を接合するとともに、該両前面部の間に、上記両弧状スリットと挿通可能な穴を有するプレートを収納し、上記両弧状スリットと該プレート穴に紐を挿通してＩＤカードを吊り下げるものである。
【０００７】
本発明の請求項３に係るＩＤカード装着具は、上面部の一端につながって下方に位置する前面部と、上記上面部の他端につながって該前面部と平行に位置するへラ状部と、該前面部と周縁部を接合した追加前面部と、上記両前面部の間に収納したプレートと、該上面部に固定した、該両前面部のほぼ周縁に位置するリングとからなり、上記へラ状部にボタンホールとこれにつながって下端に開放するへラ状部スリットを有し、上記リングに紐を掛けてＩＤカードを吊り下げるものである。
【０００８】
本発明の請求項４に係るＩＤカード装着具の補助具は、紐の一端にクリップを取り付け、他端にボタンを取り付け、このボタンに、請求項１、請求項２または請求項３のＩＤカード装着具を掛けるものである。
【０００９】
本発明の請求項５に係るＩＤカード装着具の補助具は、Ｓ字形部品と逆Ｓ字形部品とを重ねて配置するとともに、その交差部を摺動可能に保持したブロックＡと、圧縮コイルばねに棒を通して、その一端同士を固着し、該棒の他端を管に入れ、該管の該入り口に該圧縮コイルばねの他端を固着したブロックＢとからなり、該ブロックＡの四端のうちの上記摺動軸に関して分かれる二組の二端の一組を、該圧縮コイルばねと該管との該固着部と、該管の該入り口からみた他端とに固着し、上記圧縮コイルばねを圧縮すると、上記ブロックＡの他の二端が開き、この二端を衣服の布に当てて該圧縮を解除すると、この二端が該衣服の布に差し込まれて閉じ、該衣服に固定され、該ブロックＢに、請求項１、請求項２または請求項３のＩＤカード装着具を掛けるものである。
【００１０】
【発明の実施の形態】
（実施の形態１）
以下に、本発明の実施の形態１によるＩＤカード装着具について、図面を用いて説明する。
図１は、本発明の実施の形態１によるＩＤカード装着具の正面図であり、図２はその右側面図、図３はその裏面図、図４はこのＩＤカード装着具にＩＤカードを取り付けた状態を示す正面図である。
図において、１は上面部、２は上面部１の一端につながって下方に位置する前面部であり、３は上面部１の他端につながって前面部２と平行に位置するへラ状部である。４は前面部２に設けた下に凸の閉じられた前面部弧状スリットであり、５はへラ状部３に設けた穴であるボタンホールであり、６はボタンホール５につながり下端に開放するへラ状部スリットである。７は紐であり、８はＩＤカードホルダーであり、９はＩＤカードホルダー８の端に明けた穴であり、１０はＩＤカードホルダー８に収納されたＩＤカードである。紐７は、穴９と前面部弧状スリット４を通る輪状であり、ＩＤカードホルダー８をＩＤカード装着具に吊り下げている。
【００１１】
次に、上記のように構成されている本発明の実施の形態１によるＩＤカード装着具の作用を説明する。
このＩＤカード装着具を衣服に装着する方法は、ヘラ状部３のスリット６の開放部を通して衣服のボタンにボタンホール５を掛けて装着する。または、ヘラ状部３を衣服の胸ポケットに差し込んで装着する。
装着して体を横方向に傾けると、ＩＤカード装着具は斜め向きや横向きになることがあるが、そのときには、紐７が前面部弧状スリット４に沿って移動し、その結果、ＩＤカードは正立状態となり、ＩＤカードの記載内容を読み易い。
【００１２】
へラ状部スリット６の形状は、図３の例から分かるように、下端の開放部で幅が広く、上に行くにつれて狭くなり、途中から広くなってボタンホール５につながっている。このような形状では、装着し易く、また、体が動いたときにボタンホール５からボタンが外れにくいので、ＩＤカード装着具が外れにくい。さらに、へラ状部３の形状は図２に示すように曲がった状態にしておくと、前面部２とへラ状部３とが胸ポケットをよく挟み、体が動いたときに、ＩＤカード装着具が外れにくい。
【００１３】
上面部１の形状は、本実施の形態１では長方形であるが、その短辺の長さは短くてもよく、極端には短辺の長さがゼロになった稜線状であってもよい。
このＩＤカード装着具の製造方法としては、ＩＤカード装着具を平面に展開した形状に薄板を打ち抜いた部品を作り、これを折り曲げる方法とすると製造効率がよい。
【００１４】
図４では、名札や磁気カードなどのＩＤカード１０を収納したＩＤカードホルダー８をＩＤカード装着具に取り付けたが、ＩＤカード１０の差支えない場所に穴を明けて、ＩＤカードホルダー８を用いないでＩＤカード１０を取り付けることもできる。
【００１５】
このように、本実施の形態１によるＩＤカード装着具は、衣服のボタンにボタンホール５を掛けたり、へラ状部３を胸ポケットに差し込んだりして装着するので、従来のばね式クリップのように外れ易くなく、また、安全ピンのように衣服を傷付けることもなく、さらに、首掛け紐タイプのように作業時に手元に垂れ下がって邪魔になることもなく、さらに、体を横方向に傾けてもＩＤカードが正立状態となり読み易い。
【００１６】
（実施の形態２）
図５〜図７は、この発明の実施の形態２によるＩＤカード装着具を示す図であり、図５は正面図、図６は右側面図、図７は裏面図である。
本実施の形態２において、および本明細書全般に亘って、図面の同一符号は、同一または相当部分を示す。
図において、２２は前面部２と平行に設けた追加前面部であり、２４は追加前面部２２に前面部弧状スリット４と平行位置に設けた追加前面部弧状スリットである。２９は前面部２と追加前面部２２の周縁部の接合部である。２７は名前等を記載したプレートであり、このプレート２７は上記両前面部２、２２の間に収納されている。上記接合部２９は、その全周に亘ってではなく、部分的に接合されていて、プレート２７を出し入れできるようにしている。２８はプレート２７に、上記両弧状スリット４、２４と挿通可能に明けられた穴であり、すなわち、プレート２７が両前面部２、２２の間で回転したときに、穴２８が両弧状スリット４、２４に沿って動く関係になっている。
【００１７】
次に、上記のように構成されている本発明の実施の形態２によるＩＤカード装着具の作用を説明する。
プレート２７に、図５に示す通り「木村」という名前を記載してあれば、透明な追加前面部２２を通してこの名前を見ることができる。また、ＩＤカード１０をこのＩＤカード装着具に取り付ける方法は、図４に示した方法と類似であり、紐７はＩＤカードホルダー８の穴９と両弧状スリット４、２４とプレート穴２８を通る輪状で、ＩＤカードホルダー８を吊り下げている。
このＩＤカード装着具を衣服に装着する方法は、実施の形態１と同様で、ボタンに掛けるか、胸ポケットにへラ状部３を差し込むかである。この装着状態で体を横方向に傾けるとＩＤカード装着具が斜め向きや横向きになることがあるが、そのときには、ＩＤカードホルダー８の重力でプレート２７が回転するとともに、紐７が両弧状スリット４、２４に沿って動き、プレート２７とＩＤカード１０が共に正立状態になり読み易い。この場合、プレート２７は円形であることがふさわしく、また、両弧状スリット４、２４は円弧であることがふさわしい。
【００１８】
プレート２７は、名札の例を示したが、所属を示すロゴマークでも、キャンペーンマークでもよい。
両前面部２、２２の間にプレート２７を収納したが、プレート２７の回転機能を割愛するならば、追加前面部２２と接合部２９を取り去ると実施の形態１となるが、その状態で前面部２にプレート２７を貼り付けても名前等を表示できる。または、前面部２にロゴマーク等を印刷してもよい。
このように、本実施の形態２によるＩＤカード装着具は、実施の形態１の利点に加えて、ＩＤカード１０への表記の他に、正立状態で見易い表示スペースを見栄えよく追加する。
【００１９】
（実施の形態３）
図８〜図１０は、この発明の実施の形態３によるＩＤカード装着具を示す図であり、図８は正面図、図９は右側面図、図１０は裏面図である。
図において、３２は、上面部１の一端につながり下方に位置する前面部であり、３３は、前面部３２と平行に位置する追加前面部であり、２９は、両前面部３２、３３の周縁部を接合する接合部であり、３５は、両前面部３２、３３の間に収納されるプレートであり、出し入れが可能である。以上は、実施の形態２と類似であるが、両前面部３２、３３のいずれにも両弧状スリットはなく、プレート３５には穴がない点が実施の形態２と異なる。３６はリング、３７はリング固定部であり、リング固定部３７は上面部１に固定している。リング３６は、両前面部３２、３３のほぼ周縁に位置し、リング固定部３７に取り付けられている。
【００２０】
次に、上記のように構成されている本発明の実施の形態３によるＩＤカード装着具の作用を説明する。
ＩＤカード１０をこのＩＤカード装着具に取り付ける方法は、図４に示した方法と類似であり、紐７はＩＤカードホルダー８の穴９に通り、リング３６に掛けた輪状で、ＩＤカードホルダー８を吊り下げている。
このＩＤカード装着具を衣服に装着する方法は、実施の形態１、２と同様で、ボタンに掛けるか、胸ポケットにへラ状部３を差し込むかである。この装着状態で体を横方向に傾けるとＩＤカード装着具が斜め向きや横向きになることがあるが、そのときには、紐７がＩＤカードホルダー８の重力でリング３６に沿って移動し、ＩＤカード１０が正立状態になり読み易い。
【００２１】
追加前面部３３や接合部２９をなくし、プレート３５を前面部３２に貼り付けたり、印刷したりしてもよいことは、実施の形態２と同様である。
また、リング３６をリング固定部３７に取り付ける構造を、リング３６がリング固定部３７を支点として回転可能にしてもよく、リング３６が前方、さらに上方に回転し、プレート３５の出し入れが容易となる。
このように、本実施の形態３によるＩＤカード装着具は、実施の形態１の利点に加えて、ＩＤカード１０への表記の他に、表示スペースを見栄えよく追加する。
【００２２】
（実施の形態４）
図１１、図１２は、この発明の実施の形態４によるＩＤカード装着具の補助具を示す図であり、図１１は正面図、図１２は右側面図である。
図において、４１は紐、４２はばね式クリップ、４３はボタンである。紐４１の両端にばね式クリップ４２とボタン４３を取り付けている。
このＩＤカード装着具の補助具の使用方法を説明すると、ボタンも胸ポケットもない衣服の場合に、この繍助具を衿や前身ごろにばね式クリップ４２を取り付け、次に、例えば、実施の形態１のＩＤカード装着具にＩＤカード１０を収納したＩＤカードホルダー８を図４のように取り付け、ボタン４３にＩＤカード装着具のボタンホール５を掛ける。
【００２３】
紐４１は鎖であってもよく、鎖の節が回転し、前後左右のどの方向にも曲がるものであり、ばね式クリップ４２やボタン４３への取り付け部も回転し、右前、左前いずれの服にも対応する。
このように、本実施の形態４によるＩＤカード装着具の補助具は、ボタンや胸ポケットのない衣服にも装着され、ばね式クリップ４２をどのような向きに装着しても、紐４１とＩＤカード装着具の作用によりＩＤカード１０等が正立状態になって見易い。
【００２４】
（実施の形態５）
図１３は、この発明の実施の形態５によるＩＤカード装着具の補助具を示す構造図である。
図において、５１はＳ字形部品、５２は逆Ｓ字形部品、５３は、Ｓ字形部品５１と逆Ｓ字形部品５２とを重ねて配置したときの交差部を摺動状態に保持する保持部であり、図１３の例ではチューブ状の部材を用いている。５０はこの組み立て物であるブロックＡであり、Ｓ字形部品５１と逆Ｓ字形部品５２の四端のうち、保持部５３の摺動軸に関して分かれる二組の二端を図１３に示すように、Ｃ、ＤとＥ、Ｆとする。５４は圧縮コイルばね、５５は棒、５６は管であり、圧縮コイルばね５４に棒５５を通してその一端同士を固着部Ｇ５７で固着し、棒５５の他端を管５６に入れるとともに、この管５６の入り口に位置する固着部Ｈ５８で圧縮コイルばね５４の他端と管５６の入り口とを固着し、６０はこの組み立て物であるブロックＢである。ブロックＡ５０の上記一組の二端Ｅ、Ｆのうちの一端を圧縮コイルばね５４と棒５５との固着部Ｇ５７とほぼ同位置の固着部Ｉ５９に固着し、ブロックＡ５０の上記一組の二端Ｅ、Ｆのうちの他端を管５６の上記入り口からみた他端に位置する固着部Ｊ６１に固着する。
【００２５】
次に、上記のように構成されている本発明の実施の形態５によるＩＤカード装着具の補助具の作用を説明する。
ブロックＢ６０の二端、すなわち、固着部Ｉ５９と固着部Ｊ６１とを指で押し、圧縮コイルばね５４を圧縮すると、ブロックＡ５０の二端Ｃ、Ｄが開き、衣服の布にこの二端Ｃ、Ｄを当て、次に指の力を緩めて圧縮コイルばね５４の圧縮を解除すると、ブロックＡ５０の二端Ｃ、Ｄが布に差し込まれて閉じ、衣服に固定される。ＩＤカード装着具のへラ状部３をブロックＡ５０とブロックＢ６０の間に差し込むとＩＤカード装着具がブロックＢ６０に掛かって装着される。ボタンや胸ポケットがなく、また、前合わせでない衣服、特にセーターやＴシャツの任意の位置に好適に装着される。
このように、本実施の形態５によるＩＤカード装着具の補助具は、ボタンや胸ポケットのない、また、前合わせでない衣服にも装着される。
【００２６】
従って、以上、本発明の実施の形態１〜５に述べたように、本発明のＩＤカード装着具およびその補助具によれば、いかなる衣服にも、衣服への損傷を最少にして、確実・簡単、かつ、好適にＩＤカードを装着することができ、しかも、表示スペースを見栄えよく追加することができる
【００２７】
労働力削減により、各種職場における個人の責任強化の一環として、ＩＤカードの重要性が高まっていることから、その装着を容易、確実にし、また、高齢社会では白内障や老眼など視力に何らかの障害を持つ人も多く、ＩＤカード装着具の追加スペースに拡大表示して認識を容易にすることは、現代社会において大いに意義があるものである。
【００２８】
【発明の効果】
以上のように、本発明の請求項１に係るＩＤカード装着具によれば、上面部の一端につながって下方に位置する前面部と、上記上面部の他端につながって該前面部と平行に位置するへラ状部とからなり、上記前面部に、下に凸の閉じられた前面部弧状スリットを有し、上記へラ状部にボタンホールとこれにつながって下端に開放するへラ状部スリットを有し、上記前面部弧状スリットに紐を挿通してＩＤカードを吊り下げたものであるので、従来のばね式クリップのように外れ易くなく、また、安全ピンのように衣服を傷付けることもなく、さらに、首掛け紐タイプのように作業時に手元に垂れ下がって邪魔になることもなく、さらに、体を横方向に傾けてもＩＤカードが正立状態となり読み易くできる効果がある。
【００２９】
本発明の請求項２に係るＩＤカード装着具によれば、請求項１記載のＩＤカード装着具において、上記前面部と平行に追加前面部を設け、この追加前面部に上記前面部弧状スリットと平行に弧状スリットを設け、上記両前面部の周縁部を接合するとともに、該両前面部の間に、上記両弧状スリットと挿通可能な穴を有するプレートを収納し、上記両弧状スリットと該プレート穴に紐を挿通してＩＤカードを吊り下げたものであるので、従来のばね式クリップのように外れ易くなく、また、安全ピンのように衣服を傷付けることもなく、さらに、首掛け紐タイプのように作業時に手元に垂れ下がって邪魔になることもなく、さらに、体を横方向に傾けてもＩＤカードが正立状態となり読み易くできる上に、ＩＤカードへの表記の他に、正立状態で見易い表示スペースを見栄えよく追加することができる効果がある。
【００３０】
本発明の請求項３に係るＩＤカード装着具によれば、上面部の一端につながって下方に位置する前面部と、上記上面部の他端につながって該前面部と平行に位置するへラ状部と、該前面部と周縁部を接合した追加前面部と、上記両前面部の間に収納したプレートと、該上面部に固定した、該両前面部のほぼ周縁に位置するリングとからなり、上記へラ状部にボタンホールとこれにつながって下端に開放するへラ状部スリットを有し、上記リングに紐を掛けてＩＤカードを吊り下げたものであるので、従来のばね式クリップのように外れ易くなく、また、安全ピンのように衣服を傷付けることもなく、さらに、首掛け紐タイプのように作業時に手元に垂れ下がって邪魔になることもなく、さらに、体を横方向に傾けてもＩＤカードが正立状態となり読み易くできる上に、ＩＤカードへの表記の他に、表示スペースを見栄えよく追加することができる効果がある。
【００３１】
本発明の請求項４に係るＩＤカード装着具の櫛助具によれば、紐の一端にクリップを取り付け、他端にボタンを取り付け、このボタンに、請求項１、請求項２、または請求項３のＩＤカード装着具を掛けたものであるので、ボタンや胸ポケットのない衣服にも装着でき、ばね式クリップをどのような向きに装着しても、補助具の紐とＩＤカード装着具の作用によりＩＤカードが正立状態になって見易くすることができる効果がある。
【００３２】
本発明の請求項５に係るＩＤカード装着具の補助具によれば、Ｓ字形部品と逆Ｓ字形部品とを重ねて配置するとともに、その交差部を摺動可能に保持したブロックＡと、圧縮コイルばねに棒を通して、その一端同士を固着し、該棒の他端を管に入れ、該管の該入り口に該圧縮コイルばねの他端を固着したブロックＢとからなり、該ブロックＡの四端のうちの上記摺動軸に関して分かれる二組の二端の一組を、該圧縮コイルばねと該管との該固着部と、該管の該入り口からみた他端とに固着し、上記圧縮コイルばねを圧縮すると、上記ブロックＡの他の二端が開き、この二端を衣服の布に当てて該圧縮を解除すると、この二端が該衣服の布に差し込まれて閉じ、該衣服に固定され、該ブロックＢに、請求項１、請求項２または請求項３のＩＤカード装着具を掛けたものであるので、ボタンや胸ポケットのない、また、前合わせでない衣服、すなわち、特にセーターやＴシャツにもＩＤカード装着具を装着できる効果がある。
【図面の簡単な説明】
【図１】本発明の実施の形態１によるＩＤカード装着具の正面図である。
【図２】本発明の実施の形態１によるＩＤカード装着具の右側面図である。
【図３】本発明の実施の形態１によるＩＤカード装着具の裏面図である。
【図４】本発明の実施の形態１によるＩＤカード装着具にＩＤカードホルダーを取り付けた状態の正面図である。
【図５】本発明の実施の形態２によるＩＤカード装着具の正面図である。
【図６】本発明の実施の形態２によるＩＤカード装着具の右側面図である。
【図７】本発明の実施の形態２によるＩＤカード装着具の裏面図である。
【図８】本発明の実施の形態３によるＩＤカード装着具の正面図である。
【図９】本発明の実施の形態３によるＩＤカード装着具の右側面図である。
【図１０】本発明の実施の形態３によるＩＤカード装着具の裏面図である。
【図１１】本発明の実施の形態４によるＩＤカード装着具の補助具の正面図である。
【図１２】本発明の実施の形態４によるＩＤカード装着具の補助具の右側面図である。
【図１３】本発明の実施の形態５によるＩＤカード装着具の補助具の構造図である。
【図１４】従来のＩＤカード装着具にＩＤカードホルダーを取り付けた状態の正面図である。
【符号の説明】
１    上面図
２    前面図
３    へラ状部
４    前面図弧状スリット
５    ボタンホール
６    へラ状部スリット
７    紐
８    ＩＤカードホルダー
９    穴
１０    ＩＤカード
２２    追加前面部
２４    追加前面部弧状スリット
２７    プレート
２８    プレート穴
２９    接合部
３２    前面部
３３    追加前面部
３５    プレート
３６    リング
３７    リング固定部
４１    紐
４２    ばね式クリップ
４３    ボタン
５０    ブロックＡ
５１    Ｓ字形部品
５２    逆Ｓ字形部品
５３    保持部
５４    圧縮コイルばね
５５    棒
５６    管
５７    固着部Ｇ
５８    固着部Ｈ
５９    固着部Ｉ
６０    ブロックＢ
６１    固着部Ｊ
７１    ばね式クリップ
【図１】
2004313649.tif 000003
【図２】
2004313649.tif 000004
【図３】
2004313649.tif 000005
【図４】
2004313649.tif 000006
【図５】
2004313649.tif 000007
【図６】
2004313649.tif 000008
【図７】
2004313649.tif 000009
【図８】
2004313649.tif 000010
【図９】
2004313649.tif 000011
【図１０】
2004313649.tif 000012
【図１１】
2004313649.tif 000013
【図１２】
2004313649.tif 000014
【図１３】
2004313649.tif 000015
【図１４】
2004313649.tif 000016